(57)【特許請求の範囲】
【請求項１】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
ユーザの手で保持されているか否かを検出する手持ち検出部と、
並置された他の操作表示装置と接触または近接している範囲を検出する近接検出部と、
を有し、
前記制御部は、前記手持ち検出部が前記保持を検出した場合は前記特定領域を前記無効状態にし、前記特定領域のうち、前記近接検出部によって接触または近接が検出された範囲に対応する部分を前記有効状態にする
ことを特徴とする操作表示装置。
【請求項２】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有する操作表示装置であって、
前記制御部は、当該操作表示装置の電力モードが省電力モードのときは前記特定領域を前記無効状態にし、前記特定領域のうち、前記近接検出部によって接触または近接が検出された範囲に対応する部分を前記有効状態にする
ことを特徴とする操作表示装置。
【請求項３】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有する操作表示装置であって、
前記制御部は、当該操作表示装置に電力を供給する電池の残量が所定量未満のときは前記特定領域を前記無効状態にし、前記特定領域のうち、前記近接検出部によって接触または近接が検出された範囲に対応する部分を前記有効状態にする
ことを特徴とする操作表示装置。
【請求項４】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有する操作表示装置であって、
前記制御部は、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、前記近接検出部によって接触または近接が検出された範囲に対応する部分を前記有効状態にする
ことを特徴とする操作表示装置。
【請求項５】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有し、
前記制御部は、ユーザからの指示に従って、前記特定領域を前記有効状態と前記無効状態とに切り替え、前記特定領域のうち、前記近接検出部によって接触または近接が検出された範囲に対応する部分を前記有効状態にする
ことを特徴とする操作表示装置。
【請求項６】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
ユーザの手で保持されているか否かを検出する手持ち検出部と、
を有し、
前記制御部は、前記手持ち検出部が前記保持を検出した場合は前記特定領域を前記無効状態にし、前記特定領域のうち、並置された他の操作表示装置との境界にある部分を前記有効状態にする
ことを特徴とする操作表示装置。
【請求項７】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有する操作表示装置であって、
前記制御部は、当該操作表示装置の電力モードが省電力モードのときは前記特定領域を前記無効状態にし、前記特定領域のうち、並置された他の操作表示装置との境界にある部分を前記有効状態にする
ことを特徴とする操作表示装置。
【請求項８】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有する操作表示装置であって、
前記制御部は、当該操作表示装置に電力を供給する電池の残量が所定量未満のときは前記特定領域を前記無効状態にし、前記特定領域のうち、並置された他の操作表示装置との境界にある部分を前記有効状態にする
ことを特徴とする操作表示装置。
【請求項９】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有する操作表示装置であって、
前記制御部は、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、並置された他の操作表示装置との境界にある部分を前記有効状態にする
ことを特徴とする操作表示装置。
【請求項１０】
表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有し、
前記制御部は、ユーザからの指示に従って、前記特定領域を前記有効状態と前記無効状態とに切り替え、前記特定領域のうち、並置された他の操作表示装置との境界にある部分を前記有効状態にする
ことを特徴とする操作表示装置。
【請求項１１】
並置された他の操作表示装置と接触または近接している範囲を検出する近接検出部を有し、
前記制御部は、前記特定領域のうち、前記近接検出部によって接触または近接が検出された範囲に対応する部分を前記有効状態にする
ことを特徴とする請求項６乃至１０のいずれか１つに記載の操作表示装置。
【請求項１２】
前記制御部は、ユーザからの指示に従って、前記特定領域を前記有効状態と前記無効状態とに切り替える
ことを特徴とする請求項１乃至４、６乃至９および請求項６乃至９のいずれか１つを引用する１１のいずれか１つに記載の操作表示装置。
【請求項１３】
ユーザの手で保持されているか否かを検出する手持ち検出部をさらに有し、
前記制御部は、前記手持ち検出部が前記保持を検出した場合は前記特定領域を前記無効状態にする
ことを特徴とする請求項２乃至４、７乃至９および請求項７乃至９のいずれか１つを引用する１１のいずれか１つに記載の操作表示装置。
【請求項１４】
前記制御部は、当該操作表示装置の電力モードが省電力モードのときは前記特定領域を前記無効状態にする
ことを特徴とする請求項１、３、４、５、６、８、９、１０および請求項６、８、９、１０のいずれか１つを引用する１１のいずれか１つに記載の操作表示装置。
【請求項１５】
前記制御部は、当該操作表示装置に電力を供給する電池の残量が所定量未満の時は前記特定領域を前記無効状態にする
ことを特徴とする請求項１、２、４、５、６、７、９、１０および請求項６、７、９、１０のいずれか１つを引用する１１のいずれか１つに記載の操作表示装置。
【請求項１６】
前記制御部は、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにする
ことを特徴とする請求項１、２、３、５、６、７、８、１０および請求項６、７、８、１０のいずれか１つを引用する１１のいずれか１つに記載の操作表示装置。
【請求項１７】
前記表示部の表示面の端縁の外側に所定幅以上の枠が設けられていない箇所において、前記特定領域を前記表示面の端縁に沿って設けた
ことを特徴とする請求項１乃至１６のいずれか1つに記載の操作表示装置。
【請求項１８】
前記特定領域は、前記表示面の中央部を取り囲むように前記表示面の端縁に沿って設けられている
ことを特徴とする請求項１乃至１７のいずれか1つに記載の操作表示装置。
【請求項１９】
表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
ユーザの手で保持されているか否かを検出する手持ち検出ステップと、
並置された他の操作表示装置と接触または近接している範囲を検出する近接検出ステップと、
を有し、
前記手持ち検出ステップによって前記保持が検出された場合は、前記切替ステップにおいて前記特定領域が前記無効状態にされ、
前記切替ステップでは、前記特定領域のうち、前記近接検出ステップによって接触または近接が検出された範囲に対応する部分が前記有効状態にされる
ことを特徴とする操作表示方法。
【請求項２０】
操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、当該操作表示装置の電力モードが省電力モードのときは前記特定領域を前記無効状態にし、前記特定領域のうち、前記近接検出ステップによって接触または近接が検出された範囲に対応する部分が前記有効状態にされる
ことを特徴とする操作表示方法。
【請求項２１】
操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、当該操作表示装置に電力を供給する電池の残量が所定量未満のときは前記特定領域を前記無効状態にし、前記特定領域のうち、前記近接検出ステップによって接触または近接が検出された範囲に対応する部分が前記有効状態にされる
ことを特徴とする操作表示方法。
【請求項２２】
操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、前記近接検出ステップによって接触または近接が検出された範囲に対応する部分が前記有効状態にされる
ことを特徴とする操作表示方法。
【請求項２３】
表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、ユーザからの指示に従って、前記特定領域を前記有効状態と前記無効状態とに切り替え、前記特定領域のうち、前記近接検出ステップによって接触または近接が検出された範囲に対応する部分が前記有効状態にされる
ことを特徴とする操作表示方法。
【請求項２４】
表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
ユーザの手で保持されているか否かを検出する手持ち検出ステップと、
を有し、
前記手持ち検出ステップによって前記保持が検出された場合は、前記切替ステップにおいて前記特定領域が前記無効状態にされ、
前記切替ステップでは、前記特定領域のうち、並置された他の操作表示装置との境界にある部分を前記有効状態にする
ことを特徴とする操作表示方法。
【請求項２５】
操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、当該操作表示装置の電力モードが省電力モードのときは前記特定領域を前記無効状態にし、前記特定領域のうち、並置された他の操作表示装置との境界にある部分を前記有効状態にする
ことを特徴とする操作表示方法。
【請求項２６】
操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、当該操作表示装置に電力を供給する電池の残量が所定量未満のときは前記特定領域を前記無効状態にし、前記特定領域のうち、並置された他の操作表示装置との境界にある部分を前記有効状態にする
ことを特徴とする操作表示方法。
【請求項２７】
操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、並置された他の操作表示装置との境界にある部分を前記有効状態にする
ことを特徴とする操作表示方法。
【請求項２８】
表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、ユーザからの指示に従って、前記特定領域を前記有効状態と前記無効状態とに切り替え、前記特定領域のうち、並置された他の操作表示装置との境界にある部分を前記有効状態にする
ことを特徴とする操作表示方法。
【請求項２９】
さらに、並置された他の操作表示装置と接触または近接している範囲を検出する近接検出ステップを有し、
前記切替ステップにおいて、前記特定領域のうち、前記近接検出ステップによって接触または近接が検出された範囲に対応する部分が前記有効状態にされる
ことを特徴とする請求項２４乃至２８のいずれか１つに記載の操作表示方法。
【請求項３０】
前記切替ステップでは、ユーザからの指示に従って、前記特定領域を前記有効状態と前記無効状態とに切り替える
ことを特徴とする請求項１９乃至２２、２４乃至２７および請求項２４乃至２７のいずれか１つを引用する２９のいずれか１つに記載の操作表示方法。
【請求項３１】
ユーザの手で保持されているか否かを検出する手持ち検出ステップをさらに有し、
前記手持ち検出ステップによって前記保持が検出された場合は、前記切替ステップにおいて前記特定領域が前記無効状態にされる
ことを特徴とする請求項２０乃至２２、２５乃至２７および請求項２５乃至２７のいずれか１つを引用する２９のいずれか１つに記載の操作表示方法。
【請求項３２】
前記切替ステップでは、当該操作表示装置の電力モードが省電力モードのときは前記特定領域を前記無効状態にする
ことを特徴とする請求項１９、２１、２２、２３、２４、２６、２７、２８および請求項２４、２６、２７、２８のいずれか１つを引用する２９のいずれか１つに記載の操作表示方法。
【請求項３３】
前記切替ステップでは、当該操作表示装置に電力を供給する電池の残量が所定量未満のときは前記特定領域を前記無効状態にする
ことを特徴とする請求項１９、２０、２２、２３、２４、２５、２７、２８および請求項２４、２５、２７、２８のいずれか１つを引用する２９のいずれか１つに記載の操作表示方法。
【請求項３４】
前記切替ステップでは、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにする
ことを特徴とする請求項１９、２０、２１、２３、２４、２５、２６、２８および請求項２４、２５、２６、２８のいずれか１つを引用する２９のいずれか１つに記載の操作表示方法。
【請求項３５】
前記表示部の表示面の端縁の外側に所定幅以上の枠が設けられていない箇所において、前記特定領域を前記表示面の端縁に沿って設けた
ことを特徴とする請求項１９乃至３４のいずれか１つに記載の操作表示方法。
【請求項３６】
前記特定領域は、前記表示面の中央部を取り囲むように前記表示面の端縁に沿って設けられている
ことを特徴とする請求項１９乃至３５のいずれか１つに記載の操作表示方法。
【請求項３７】
表示部と、前記表示部の表示面上のタッチされた位置を検出するタッチパネルと、ユーザの手で保持されているか否かを検出する手持ち検出部と、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記手持ち検出部が前記保持を検出した場合は前記特定領域を前記無効状態にし、前記特定領域のうち、前記近接検出部によって接触または近接が検出された範囲に対応する部分を前記有効状態にする、ように動作させる
ことを特徴とするプログラム。
【請求項３８】
表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置の電力モードが省電力モードのときは前記特定領域を前記無効状態にし、前記特定領域のうち、前記近接検出部によって接触または近接が検出された範囲に対応する部分を前記有効状態にする、ように動作させる
ことを特徴とするプログラム。
【請求項３９】
表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置に電力を供給する電池の残量が所定量未満のときは前記特定領域を前記無効状態にし、前記特定領域のうち、前記近接検出部によって接触または近接が検出された範囲に対応する部分を前記有効状態にする、ように動作させる
ことを特徴とするプログラム。
【請求項４０】
表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、前記近接検出部によって接触または近接が検出された範囲に対応する部分を前記有効状態にする、ように動作させる
ことを特徴とするプログラム。
【請求項４１】
表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、ユーザからの指示に従って、前記特定領域を前記有効状態と前記無効状態とに切り替え、前記特定領域のうち、前記近接検出部によって接触または近接が検出された範囲に対応する部分を前記有効状態にする、ように動作させる
ことを特徴とするプログラム。
【請求項４２】
表示部と、前記表示部の表示面上のタッチされた位置を検出するタッチパネルと、ユーザの手で保持されているか否かを検出する手持ち検出部とを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記手持ち検出部が前記保持を検出した場合は前記特定領域を前記無効状態にし、並置された他の操作表示装置との境界にある部分を前記有効状態にするように動作させる
ことを特徴とするプログラム。
【請求項４３】
表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置の電力モードが省電力モードのときは前記特定領域を前記無効状態にし、並置された他の操作表示装置との境界にある部分を前記有効状態にするように動作させる
ことを特徴とするプログラム。
【請求項４４】
表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置に電力を供給する電池の残量が所定量未満のときは前記特定領域を前記無効状態にし、並置された他の操作表示装置との境界にある部分を前記有効状態にするように動作させる
ことを特徴とするプログラム。
【請求項４５】
表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、並置された他の操作表示装置との境界にある部分を前記有効状態にするように動作させる
ことを特徴とするプログラム。
【請求項４６】
表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、ユーザからの指示に従って、前記特定領域を前記有効状態と前記無効状態とに切り替え、並置された他の操作表示装置との境界にある部分を前記有効状態にするように動作させる
ことを特徴とするプログラム。
【請求項４７】
前記操作表示装置は、並置された他の操作表示装置と接触または近接している範囲を検出する近接検出部をさらに有し、
前記制御部を、前記特定領域のうち、前記近接検出部によって接触または近接が検出された範囲に対応する部分を前記有効状態にする、ように動作させる
ことを特徴とする請求項４２乃至４６のいずれか１つに記載のプログラム。
【請求項４８】
前記操作表示装置の制御部を、
ユーザからの指示に従って、前記特定領域を前記有効状態と前記無効状態とに切り替える、ように動作させる
ことを特徴とする請求項３７乃至４０、４２乃至４５および請求項４２乃至４５のいずれか１つを引用する４７のいずれか１つに記載のプログラム。
【請求項４９】
ユーザの手で保持されているか否かを検出する手持ち検出部を更に有する前記操作表示装置の制御部を、
前記手持ち検出部が前記保持を検出した場合は前記特定領域を前記無効状態にする、ように動作させる
ことを特徴とする請求項３８乃至４０、４３乃至４５および請求項４３乃至４５のいずれか１つを引用する４７のいずれか１つに記載のプログラム。
【請求項５０】
前記操作表示装置の制御部を、
当該操作表示装置の電力モードが省電力モードのときは前記特定領域を前記無効状態にする、ように動作させる
ことを特徴とする請求項３７、３９、４０、４１、４２、４４、４５、４６および請求項４２、４４、４５、４６のいずれか１つを引用する４７のいずれか１つに記載のプログラム。
【請求項５１】
前記操作表示装置の制御部を、
当該操作表示装置に電力を供給する電池の残量が所定量未満のときは前記特定領域を前記無効状態にする、ように動作させる
ことを特徴とする請求項３７、３８、４０、４１、４２、４３、４５、４６および請求項４２、４３、４５、４６のいずれか１つを引用する４７のいずれか１つに記載のプログラム。
【請求項５２】
前記操作表示装置の制御部を、
前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにするように動作させる
ことを特徴とする請求項３７、３８、３９、４１、４２、４３、４４、４６および請求項４２、４３、４４、４６のいずれか１つを引用する４７のいずれか１つに記載のプログラム。
【請求項５３】
前記表示部の表示面の端縁の外側に所定幅以上の枠が設けられていない箇所において、前記特定領域が前記表示面の端縁に沿って設けられている
ことを特徴とする請求項３７乃至５２のいずれか1つに記載のプログラム。
【請求項５４】
前記特定領域は、前記表示面の中央部を取り囲むように前記表示面の端縁に沿って設けられている
ことを特徴とする請求項３７乃至５３のいずれか１つに記載のプログラム。
【発明の詳細な説明】
【技術分野】
【０００１】
本発明は、表示面にタッチパネルを備えた操作表示装置及びその操作表示方法、プログラムに関する。
【背景技術】
【０００２】
Ｂ５程度の表示部とその表示面にタッチパネルを備えた携帯型の情報処理端末は、手で持ちながら操作されることが多い。この持ち手の指によるタッチを、通常の操作によるタッチとして誤検知しないようにする一般的な方法として、本体の周縁に、幅数ｃｍほどの額縁部を設け、その内側のみをタッチパネル式の表示面とする構成が採用される。
【０００３】
しかし、額縁を設けると、端末のサイズに比べて額縁の分だけ表示面積が狭くなる。
【０００４】
そこで、持ち手の触れる箇所にタッチパネルがあっても大丈夫なように、タッチパネルの一部を入力無効領域に設定し、この入力無効領域を避けるように表示画面上に表示されているオブジェクトを再配置する情報入力装置が提案されている（特許文献１参照。）。
【０００５】
また、有効表示領域に対応する第１検出領域の周囲を囲う第２検出領域を設け、第２検出領域でタッチが検出されたとき、その近傍の第１検出領域におけるタッチの検出を無効にする技術がある（たとえば、特許文献２参照。）。この技術は、持ち手の指が第２検出領域から第１検出領域に跨って触れているような場合に、この指に係る第１検出領域での誤検知を防止する。第２検出領域は誤検知防止用のタッチエリアであり、通常の入力には使用されない。
【０００６】
また、額縁を有する表示装置を複数台並置して大きな表示面積を確保する場合、繋ぎ目に額縁があるので、その分、斜め線などの画像がずれてしまう。そこで、繋ぎ目に額縁があることを前提として、額縁に相当する部分の画像を削る等して画像の連続性を確保するようにした表示装置がある（特許文献３参照。）。また、連結される複数の表示装置の相対位置を特定し、その相対位置において完成された画像が表示されるように各表示装置に表示させる画像を取得する画像表示システムがある（特許文献４参照。）。
【先行技術文献】
【特許文献】
【０００７】
【特許文献１】特開２０１２−０１４６４８号公報
【特許文献２】特開２０１２−００８９２３号公報
【特許文献３】特開平９−３１９３３７号公報
【特許文献４】特開２０１１−４８４３１号公報
【発明の概要】
【発明が解決しようとする課題】
【０００８】
タッチパネルの一部を単にタッチ検出の無効な領域に設定する方法では、どの領域がタッチ検出の無効な領域となっているか視認できず、意図したタッチが無視された場合にユーザが戸惑ってしまう。また、手で持たずに机上等に置いて使用する場合には、タッチ検出の無効な領域は無駄となりそのエリアを有効利用できない。
【０００９】
また、複数台並置して使用する場合の問題に対して、特許文献２、３の技術では画像のずれなどを防止することは可能であるが、表示画像の中に額縁が太線のように存在するので、その部分で画像が途切れて見難い、といった問題は残る。
【００１０】
本発明は、上記の問題を解決しようとするものであり、装置の利用状況に適した表示範囲やタッチ検出範囲を設定することのできる操作表示装置及びその操作表示方法、プログラムを提供することを目的としている。
【課題を解決するための手段】
【００１１】
かかる目的を達成するための本発明の要旨とするところは、次の各項の発明に存する。
【００１２】
［１］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
ユーザの手で保持されているか否かを検出する手持ち検出部と、
並置された他の操作表示装置と接触または近接している範囲を検出する近接検出部と、
を有し、
前記制御部は、前記手持ち検出部が前記保持を検出した場合は前記特定領域を前記無効状態にし、前記特定領域のうち、前記近接検出部によって接触または近接が検出された範囲に対応する部分を前記有効状態にする
ことを特徴とする操作表示装置。
【００１３】
上記発明では、表示面の一部の特定領域が、表示およびタッチ検出が有効な有効状態と、表示およびタッチ検出が無効な無効状態とに切り替えられる。特定領域を有効状態と無効状態に切り替えることで、表示およびタッチ検出される領域を利用状況に応じて変更することができる。
また、上記発明では、手持ちされていることを検出した場合に、特定領域は無効状態にされる。ユーザはこの無効状態の部分を手持ちする部分として安心して利用することができる。
［２］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有する操作表示装置であって、
前記制御部は、当該操作表示装置の電力モードが省電力モードのときは前記特定領域を前記無効状態にし、前記特定領域のうち、前記近接検出部によって接触または近接が検出された範囲に対応する部分を前記有効状態にする
ことを特徴とする操作表示装置。
上記発明では、無効状態にすることで、消費電力を下げることができる。たとえば、液晶ディスプレイにおいて無効状態にした部分のバックライトを消灯すれば、より省電力にすることができる。
［３］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有する操作表示装置であって、
前記制御部は、当該操作表示装置に電力を供給する電池の残量が所定量未満のときは前記特定領域を前記無効状態にし、前記特定領域のうち、前記近接検出部によって接触または近接が検出された範囲に対応する部分を前記有効状態にする
ことを特徴とする操作表示装置。
上記発明では、無効状態にすることで、電池の消耗を抑えることができる。
［４］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有する操作表示装置であって、
前記制御部は、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、前記近接検出部によって接触または近接が検出された範囲に対応する部分を前記有効状態にする
ことを特徴とする操作表示装置。
上記発明では、特定領域を無効状態にしている状態で残りの表示領域についても無効状態にする指示をユーザから受けた場合、ユーザは表示を全部オフにすることを意図しているので、当該操作を受けたことを持って、電源オフまたはスタンバイモードへ移行する。
［５］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
並置された他の操作表示装置と接触または近接している範囲を検出する近接検出部と、
を有し、
前記制御部は、ユーザからの指示に従って、前記特定領域を前記有効状態と前記無効状態とに切り替え、前記特定領域のうち、前記近接検出部によって接触または近接が検出された範囲に対応する部分を前記有効状態にする
ことを特徴とする操作表示装置。
上記［１］〜［５］に記載の発明では、他の操作表示装置と並置され連携した表示を行うような場合に、他の操作表示装置と接触または近接している範囲を検出し、その範囲に応じて、特定領域のうち有効状態にする範囲が変更される。
［６］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
ユーザの手で保持されているか否かを検出する手持ち検出部と、
を有し、
前記制御部は、前記手持ち検出部が前記保持を検出した場合は前記特定領域を前記無効状態にし、前記特定領域のうち、並置された他の操作表示装置との境界にある部分を前記有効状態にする
ことを特徴とする操作表示装置。
［７］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有する操作表示装置であって、
前記制御部は、当該操作表示装置の電力モードが省電力モードのときは前記特定領域を前記無効状態にし、前記特定領域のうち、並置された他の操作表示装置との境界にある部分を前記有効状態にする
ことを特徴とする操作表示装置。
［８］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有する操作表示装置であって、
前記制御部は、当該操作表示装置に電力を供給する電池の残量が所定量未満のときは前記特定領域を前記無効状態にし、前記特定領域のうち、並置された他の操作表示装置との境界にある部分を前記有効状態にする
ことを特徴とする操作表示装置。
［９］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有する操作表示装置であって、
前記制御部は、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、並置された他の操作表示装置との境界にある部分を前記有効状態にする
ことを特徴とする操作表示装置。
［１０］表示部と、
前記表示部の表示面上のタッチされた位置を検出するタッチパネルと、
前記表示部の表示内容を制御すると共に、前記表示面の一部の特定領域を、表示およびタッチ検出が有効な有効状態と、表示およびタッチ検出が無効な無効状態とに切り替える制御部と、
を有し、
前記制御部は、ユーザからの指示に従って、前記特定領域を前記有効状態と前記無効状態とに切り替え、前記特定領域のうち、並置された他の操作表示装置との境界にある部分を前記有効状態にする
ことを特徴とする操作表示装置。
上記［６］〜［１０］に記載の発明では、他の操作表示装置と並置され連携した表示を行うような場合に、他の操作表示装置との境界部分にある特定領域を有効状態にすることで、表示の連続性を高めることができる。
［１１］並置された他の操作表示装置と接触または近接している範囲を検出する近接検出部を有し、
前記制御部は、前記特定領域のうち、前記近接検出部によって接触または近接が検出された範囲に対応する部分を前記有効状態にする
ことを特徴とする［６］乃至［１０］のいずれか１つに記載の操作表示装置。
［１２］前記制御部は、ユーザからの指示に従って、前記特定領域を前記有効状態と前記無効状態とに切り替える
ことを特徴とする［１］乃至［４］、［６］乃至［９］および［６］乃至［９］のいずれか１つを引用する［１１］のいずれか１つに記載の操作表示装置。
［１３］ユーザの手で保持されているか否かを検出する手持ち検出部をさらに有し、
前記制御部は、前記手持ち検出部が前記保持を検出した場合は前記特定領域を前記無効状態にする
ことを特徴とする［２］乃至［４］、［７］乃至［９］および［７］乃至［９］のいずれか１つを引用する［１１］のいずれか１つに記載の操作表示装置。
［１４］前記制御部は、当該操作表示装置の電力モードが省電力モードのときは前記特定領域を前記無効状態にする
ことを特徴とする［１］、［３］、［４］、［５］、［６］、［８］、［９］、［１０］および［６］、［８］、［９］、［１０］のいずれか１つを引用する［１１］のいずれか１つに記載の操作表示装置。
［１５］前記制御部は、当該操作表示装置に電力を供給する電池の残量が所定量未満の時は前記特定領域を前記無効状態にする
ことを特徴とする［１］、［２］、［４］、［５］、［６］、［７］、［９］、［１０］および［６］、［７］、［９］、［１０］のいずれか１つを引用する［１１］のいずれか１つに記載の操作表示装置。
［１６］前記制御部は、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにする
ことを特徴とする［１］、［２］、［３］、［５］、［６］、［７］、［８］、［１０］および［６］、［７］、［８］、［１０］のいずれか１つを引用する［１１］のいずれか１つに記載の操作表示装置。
【００１４】
［１７］前記表示部の表示面の端縁の外側に所定幅以上の枠が設けられていない箇所において、前記特定領域を前記表示面の端縁に沿って設けた
ことを特徴とする［１］乃至［１６］のいずれか１つに記載の操作表示装置。
【００１５】
上記発明では、たとえば、手持ちされた場合に、持ち手の指が触れるような範囲に特定領域が設けられる。
【００１６】
［１８］前記特定領域は、前記表示面の中央部を取り囲むように前記表示面の端縁に沿って設けられている
ことを特徴とする［１］乃至［１７］のいずれか１つに記載の操作表示装置。
【００２９】
［１９］表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
ユーザの手で保持されているか否かを検出する手持ち検出ステップと、
並置された他の操作表示装置と接触または近接している範囲を検出する近接検出ステップと、
を有し、
前記手持ち検出ステップによって前記保持が検出された場合は、前記切替ステップにおいて前記特定領域が前記無効状態にされ、
前記切替ステップでは、前記特定領域のうち、前記近接検出ステップによって接触または近接が検出された範囲に対応する部分が前記有効状態にされる
ことを特徴とする操作表示方法。
［２０］操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、当該操作表示装置の電力モードが省電力モードのときは前記特定領域を前記無効状態にし、前記特定領域のうち、前記近接検出ステップによって接触または近接が検出された範囲に対応する部分が前記有効状態にされる
ことを特徴とする操作表示方法。
［２１］操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、当該操作表示装置に電力を供給する電池の残量が所定量未満のときは前記特定領域を前記無効状態にし、前記特定領域のうち、前記近接検出ステップによって接触または近接が検出された範囲に対応する部分が前記有効状態にされる
ことを特徴とする操作表示方法。
［２２］操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、前記近接検出ステップによって接触または近接が検出された範囲に対応する部分が前記有効状態にされる
ことを特徴とする操作表示方法。
［２３］表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
並置された他の操作表示装置と接触または近接している範囲を検出する近接検出ステップと、
を有し、
前記切替ステップでは、ユーザからの指示に従って、前記特定領域を前記有効状態と前記無効状態とに切り替え、前記特定領域のうち、前記近接検出ステップによって接触または近接が検出された範囲に対応する部分が前記有効状態にされる
ことを特徴とする操作表示方法。
［２４］表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
ユーザの手で保持されているか否かを検出する手持ち検出ステップと、
を有し、
前記手持ち検出ステップによって前記保持が検出された場合は、前記切替ステップにおいて前記特定領域が前記無効状態にされ、
前記切替ステップでは、前記特定領域のうち、並置された他の操作表示装置との境界にある部分を前記有効状態にする
ことを特徴とする操作表示方法。
［２５］操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、当該操作表示装置の電力モードが省電力モードのときは前記特定領域を前記無効状態にし、前記特定領域のうち、並置された他の操作表示装置との境界にある部分を前記有効状態にする
ことを特徴とする操作表示方法。
［２６］操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、当該操作表示装置に電力を供給する電池の残量が所定量未満のときは前記特定領域を前記無効状態にし、前記特定領域のうち、並置された他の操作表示装置との境界にある部分を前記有効状態にする
ことを特徴とする操作表示方法。
［２７］操作表示装置が有する表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、並置された他の操作表示装置との境界にある部分を前記有効状態にする
ことを特徴とする操作表示方法。
［２８］表示部の表示面上のタッチされた位置を検出する位置検出ステップと、
前記表示部の表示内容を制御すると共に、前記表示面の一部の特定領域を、表示およびタッチ検出が有効な有効状態と、表示およびタッチ検出が無効な無効状態とに切り替える切替ステップと、
を有し、
前記切替ステップでは、ユーザからの指示に従って、前記特定領域を前記有効状態と前記無効状態とに切り替え、前記特定領域のうち、並置された他の操作表示装置との境界にある部分を前記有効状態にする
ことを特徴とする操作表示方法。
［２９］さらに、並置された他の操作表示装置と接触または近接している範囲を検出する近接検出ステップを有し、
前記切替ステップにおいて、前記特定領域のうち、前記近接検出ステップによって接触または近接が検出された範囲に対応する部分が前記有効状態にされる
ことを特徴とする［２４］乃至［２８］のいずれか１つに記載の操作表示方法。
［３０］前記切替ステップでは、ユーザからの指示に従って、前記特定領域を前記有効状態と前記無効状態とに切り替える
ことを特徴とする［１９］乃至［２２］、［２４］乃至［２７］および［２４］乃至［２７］のいずれか１つを引用する［２９］のいずれか１つに記載の操作表示方法。
［３１］ユーザの手で保持されているか否かを検出する手持ち検出ステップをさらに有し、
前記手持ち検出ステップによって前記保持が検出された場合は、前記切替ステップにおいて前記特定領域が前記無効状態にされる
ことを特徴とする［２０］乃至［２２］、［２５］乃至［２７］および［２５］乃至［２７］のいずれか１つを引用する［２９］のいずれか１つに記載の操作表示方法。
［３２］前記切替ステップでは、当該操作表示装置の電力モードが省電力モードのときは前記特定領域を前記無効状態にする
ことを特徴とする［１９］、［２１］、［２２］、［２３］、［２４］、［２６］、［２７］、［２８］および［２４］、［２６］、［２７］、［２８］のいずれか１つを引用する［２９］のいずれか１つに記載の操作表示方法。
［３３］前記切替ステップでは、当該操作表示装置に電力を供給する電池の残量が所定量未満のときは前記特定領域を前記無効状態にする
ことを特徴とする［１９］、［２０］、［２２］、［２３］、［２４］、［２５］、［２７］、［２８］および［２４］、［２５］、［２７］、［２８］のいずれか１つを引用する［２９］のいずれか１つに記載の操作表示方法。
［３４］前記切替ステップでは、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにする
ことを特徴とする［１９］、［２０］、［２１］、［２３］、［２４］、［２５］、［２６］、［２８］および［２４］、［２５］、［２６］、［２８］のいずれか１つを引用する［２９］のいずれか１つに記載の操作表示方法。
［３５］前記表示部の表示面の端縁の外側に所定幅以上の枠が設けられていない箇所において、前記特定領域を前記表示面の端縁に沿って設けた
ことを特徴とする［１９］乃至［３４］のいずれか１つに記載の操作表示方法。
［３６］前記特定領域は、前記表示面の中央部を取り囲むように前記表示面の端縁に沿って設けられている
ことを特徴とする［１９］乃至［３５］のいずれか１つに記載の操作表示方法。
［３７］表示部と、前記表示部の表示面上のタッチされた位置を検出するタッチパネルと、ユーザの手で保持されているか否かを検出する手持ち検出部と、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記手持ち検出部が前記保持を検出した場合は前記特定領域を前記無効状態にし、前記特定領域のうち、前記近接検出部によって接触または近接が検出された範囲に対応する部分を前記有効状態にする、ように動作させる
ことを特徴とするプログラム。
［３８］表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置の電力モードが省電力モードのときは前記特定領域を前記無効状態にし、前記特定領域のうち、前記近接検出部によって接触または近接が検出された範囲に対応する部分を前記有効状態にする、ように動作させる
ことを特徴とするプログラム。
［３９］表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置に電力を供給する電池の残量が所定量未満のときは前記特定領域を前記無効状態にし、前記特定領域のうち、前記近接検出部によって接触または近接が検出された範囲に対応する部分を前記有効状態にする、ように動作させる
ことを特徴とするプログラム。
［４０］表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、前記特定領域のうち、前記近接検出部によって接触または近接が検出された範囲に対応する部分を前記有効状態にする、ように動作させる
ことを特徴とするプログラム。
［４１］表示部と、前記表示部の表示面上のタッチされた位置を検出するタッチパネルと、並置された他の操作表示装置と接触または近接している範囲を検出する近接検出部を有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、ユーザからの指示に従って、前記特定領域を前記有効状態と前記無効状態とに切り替え、前記特定領域のうち、前記近接検出部によって接触または近接が検出された範囲に対応する部分を前記有効状態にする、ように動作させる
ことを特徴とするプログラム。
［４２］表示部と、前記表示部の表示面上のタッチされた位置を検出するタッチパネルと、ユーザの手で保持されているか否かを検出する手持ち検出部とを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記手持ち検出部が前記保持を検出した場合は前記特定領域を前記無効状態にし、並置された他の操作表示装置との境界にある部分を前記有効状態にするように動作させる
ことを特徴とするプログラム。
［４３］表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置の電力モードが省電力モードのときは前記特定領域を前記無効状態にし、並置された他の操作表示装置との境界にある部分を前記有効状態にするように動作させる
ことを特徴とするプログラム。
［４４］表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、当該操作表示装置に電力を供給する電池の残量が所定量未満のときは前記特定領域を前記無効状態にし、並置された他の操作表示装置との境界にある部分を前記有効状態にするように動作させる
ことを特徴とするプログラム。
［４５］表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにし、並置された他の操作表示装置との境界にある部分を前記有効状態にするように動作させる
ことを特徴とするプログラム。
［４６］表示部と、前記表示部の表示面上のタッチされた位置を検出するタッチパネルとを有する操作表示装置の制御部を、
前記表示部の表示内容を制御すると共に、前記表示面の一部の特定領域を、表示およびタッチ検出が有効な有効状態と、表示およびタッチ検出が無効な無効状態とに切り替え、かつ、ユーザからの指示に従って、前記特定領域を前記有効状態と前記無効状態とに切り替え、並置された他の操作表示装置との境界にある部分を前記有効状態にするように動作させる
ことを特徴とするプログラム。
［４７］前記操作表示装置は、並置された他の操作表示装置と接触または近接している範囲を検出する近接検出部をさらに有し、
前記制御部を、前記特定領域のうち、前記近接検出部によって接触または近接が検出された範囲に対応する部分を前記有効状態にする、ように動作させる
ことを特徴とする［４２］乃至［４６］のいずれか１つに記載のプログラム。
［４８］前記操作表示装置の制御部を、
ユーザからの指示に従って、前記特定領域を前記有効状態と前記無効状態とに切り替える、ように動作させる
ことを特徴とする［３７］乃至［４０］、［４２］乃至［４５］および［４２］乃至［４５］のいずれか１つを引用する［４７］のいずれか１つに記載のプログラム。
［４９］ユーザの手で保持されているか否かを検出する手持ち検出部を更に有する前記操作表示装置の制御部を、
前記手持ち検出部が前記保持を検出した場合は前記特定領域を前記無効状態にする、ように動作させる
ことを特徴とする［３８］乃至［４０］、［４３］乃至［４５］および［４３］乃至［４５］のいずれか１つを引用する［４７］のいずれか１つに記載のプログラム。
［５０］前記操作表示装置の制御部を、
当該操作表示装置の電力モードが省電力モードのときは前記特定領域を前記無効状態にする、ように動作させる
ことを特徴とする［３７］、［３９］、［４０］、［４１］、［４２］、［４４］、［４５］、［４６］および［４２］、［４４］、［４５］、［４６］のいずれか１つを引用する［４７］のいずれか１つに記載のプログラム。
［５１］前記操作表示装置の制御部を、
当該操作表示装置に電力を供給する電池の残量が所定量未満のときは前記特定領域を前記無効状態にする、ように動作させる
ことを特徴とする［３７］、［３８］、［４０］、［４１］、［４２］、［４３］、［４５］、［４６］および［４２］、［４３］、［４５］、［４６］のいずれか１つを引用する［４７］のいずれか１つに記載のプログラム。
［５２］前記操作表示装置の制御部を、
前記特定領域を前記無効状態にしている状態で、前記表示面の残りの領域をさらに前記無効状態にする指示をユーザから受けたとき、当該操作表示装置を電源オフもしくは表示部による表示がオフになるスタンバイモードにするように動作させる
ことを特徴とする［３７］、［３８］、［３９］、［４１］、［４２］、［４３］、［４４］、［４６］および［４２］、［４３］、［４４］、［４６］のいずれか１つを引用する［４７］のいずれか１つに記載のプログラム。
［５３］前記表示部の表示面の端縁の外側に所定幅以上の枠が設けられていない箇所において、前記特定領域が前記表示面の端縁に沿って設けられている
ことを特徴とする［３７］乃至［５２］のいずれか１つのいずれか１つに記載のプログラム。
［５４］前記特定領域は、前記表示面の中央部を取り囲むように前記表示面の端縁に沿って設けられている
ことを特徴とする［３７］乃至［５３］のいずれか１つに記載のプログラム。
【発明の効果】
【００３０】
本発明に係る操作表示装置及びその操作表示方法、プログラムによれば、装置の利用状況に適した表示範囲やタッチ検出範囲を設定することができる。
【図面の簡単な説明】
【００３１】
【図１】本発明の実施の形態に係る情報処理端末の外観を示す説明図である。
【図２】本発明の実施の形態に係る情報処理端末の電気系の概略構成を示すブロック図である。
【図３】特定領域を有効状態にした状態と無効状態（額縁領域）にした状態とを対比して示す図である。
【図４】通常使用状況でユーザが情報処理端末を手で持ったときにその指が届く範囲を示す説明図である。
【図５】情報処理端末を机上に載置した状態を示す図である。
【図６】情報処理端末をドックに装着した状態を示す図である。
【図７】２台の情報処理端末を横並びに並置して使用する状態を示す図である。
【図８】３台の情報処理端末を横並びに並置して使用する状態を示す図である。
【図９】４台の情報処理端末を２×２の行列状に並置して使用する状態を示す図である。
【図１０】情報処理端末を他の装置の操作表示パネルと連携させて使用する状態を示す図である。
【図１１】切り替え釦で特定領域を有効状態と無効状態（額縁領域）とに切り替える様子を示す図である。
【図１２】小型のバックライトを縦横のマトリクス状に多数分散配置して備える液晶ディスプレイの構造を模擬的に示す図である。
【図１３】ユーザからの操作により全域を無効状態に切り替える様子を示す図である。
【図１４】表示切り替え制御の概略を示す流れ図である。
【図１５】タッチパネル入力処理（図１４のステップＳ１０１）の詳細を示す流れ図である。
【図１６】額縁切り替え要因一覧表の一例を示す図である。
【図１７】額縁切り替え要因処理（図１４のステップＳ１０２）の概要を示す流れ図である。
【図１８】近接センサ処理（図１７のＳ３０２）の詳細を示す流れ図である。
【図１９】載置センサ処理（図１７のＳ３０３）の詳細を示す流れ図である。
【図２０】切り替え操作処理（図１７のＳ３０４）の詳細を示す流れ図である。
【図２１】バッテリ残量処理（図１７のＳ３０５）の詳細を示す流れ図である。
【図２２】省電力モード処理（図１７のＳ３０６）の詳細を示す流れ図である。
【図２３】最優先額縁要因決定処理（図１４のＳ１０３）の詳細を示す流れ図である。
【図２４】額縁形状決定処理の詳細を示す流れ図である。
【発明を実施するための形態】
【００３２】
以下、図面に基づき本発明の実施の形態を説明する。
【００３３】
図１は、本発明に係る操作表示装置としての情報処理端末１０の外観を示している。情報処理端末１０は、文書や画像データの入力、作成、表示、編集、外部機器への出力などの機能を備えている。情報処理端末１０は、Ｂ５サイズほどの平板形状を成した携帯端末であり、本体表面のほぼ全域が表示面Ｓになっている。また、表示面Ｓ上の全面に渡り、指やペンなどでタッチされた位置を検出するタッチパネルが設けてある。タッチパネルを介して、手書き文字の入力や各種の操作を受け付ける。
【００３４】
情報処理端末１０の側面には、他の情報処理端末１０等と近接あるいは接触していることを検出するための多数の近接センサ１８ａが全周に渡り配設されている。また、情報処理端末１０の背面（裏面）のほぼ中央には、当該情報処理端末１０が机の上や所定のドックに載置されているか否かを検出するための載置センサ１８ｂが設けてある。
【００３５】
図２は、情報処理端末１０の電気系の概略構成を示している。情報処理端末１０は、当該情報処理端末１０の動作を統括制御する制御部としてのＣＰＵ１１にバスを通じて、ＲＯＭ（Read Only Memory）１２、ＲＡＭ（Random Access Memory）１３、不揮発メモリ１４、ネットワーク通信部１５、操作部１６と、表示部１７と、各種のセンサ１８、電池の残量を検出する残量検出部１９などを接続して構成される。また、情報処理端末１０の各部に電力を供給する電池１９ａを備えている。
【００３６】
ＲＯＭ１２には、各種プログラムやデータが格納され、これらのプログラムに従ってＣＰＵ１１が各種の処理を実行することで情報処理端末１０としての各機能が実現される。ＲＡＭ１３はＣＰＵ１１がプログラムを実行する際に各種のデータを一時的に格納するワークメモリや表示データを一時記憶するメモリとして使用される。
【００３７】
不揮発メモリ１４は、電源がオフになっても記憶内容が保持されるメモリである。不揮発メモリ１４には、文書や画像ファイル、各種の設定内容、ユーザ情報、端末情報（ネットワークアドレスなど）などが記憶される。
【００３８】
ネットワーク通信部１５は、無線通信によりネットワークと接続して各種の外部装置と通信する機能を果たす。たとえば、ネットワーク通信部１５を通じて、表示対象の文書や画像データなどが外部装置から入力される。
【００３９】
表示部１７は、液晶ディスプレイなどで構成される。表示部１７はＲＡＭ１３の所定領域に格納された表示データに対応する画面を表示する。ＣＰＵ１１は表示データの作成や加工を行う。操作部１６は、表示部１７の表示面Ｓ上に全面に設けられ、指やペンなどによってタッチされた位置を検出するタッチパネル２１で構成される。なお、タッチパネル２１のほかに少数の操作スイッチを備えてもよい。タッチパネル２１の検知方式は、静電容量、アナログ/デジタル抵抗膜、赤外線、超音波、電磁誘導等、任意でよい。
【００４０】
センサ１８は、前述した近接センサ１８ａや載置センサ１８ｂなどである。近接センサ１８ａには、たとえば、赤外線センサなどが使用される。載置センサ１８ｂには、アクチュエータを備えたスイッチや光センサなどが使用可能である。このほか、人の手で保持されているか否かを検出するセンサなどを備えてもよい。ドックなどにセットされたことの検出は、ドッグとの電気的接続の有無に基づいて検出されてもよい。
【００４１】
残量検出部１９は、電池１９ａの出力電圧などに基づいて電池１９ａの残量を検出する。
【００４２】
情報処理端末１０は、表示部１７の表示面Ｓの全面にタッチパネル２１を備えており、特定領域については、表示およびタッチパネル２１によるタッチ検出を有効とするか無効とするかを切り替えることができる。ここでは、図３に示すように、表示面Ｓの端から内側へ所定幅（たとえば、３ｃｍ）を有し表示面Ｓの周縁に沿って一周する部分（長方形の表示面Ｓの中央部を取り囲む四辺）を特定領域３０としている。図３（ｂ）のグレーの部分が特定領域３０である。
【００４３】
図３（ａ）は特定領域３０を表示およびタッチ検出が有効な有効状態とした様子を示しており、図３（ｂ）は特定領域３０を表示およびタッチ検出が無効な無効状態とした様子を示している。図３（ａ）は、表示面Ｓの全面が有効状態となっており、図３（ｂ）では、特定領域３０は無効状態になり、特定領域３０の内側の部分は有効状態になっている。なお、特定領域３０か否かを問わず表示面Ｓのうち有効状態の部分を有効領域とも呼ぶものとする。また、特定領域３０のうち無効状態の部分を額縁領域とも呼ぶものとする。図３（ｂ）では、表示面Ｓの周縁を成す４辺がすべて額縁領域になっている。
【００４４】
額縁領域は、その部分がコンテンツの表示される有効領域でないことを明確に識別可能な視認態様にされる。たとえば、無模様の特定色（たとえば黒やグレーの塗りつぶし）、あるいは地模様（たとえば、格子模様やモザイク模様など）が表示される。また、額縁領域を黒などにする場合、その部分のバックライトを消灯することを併用してもよい。さらにまた、特定領域と他の表示領域とが別々の表示デバイスで構成されているような場合には、特定領域を額縁領域にするとき、該特定領域用の表示デバイスの表示や電源をオフにしてもよい。
【００４５】
図４に示すように、載置センサ１８ｂは、通常使用する状況でユーザが情報処理端末１０を手で持ったときにその指が届く範囲５１（図中、斜線を施した部分）を避けて配置されている。情報処理端末１０がユーザの手で持たれているとき、載置センサ１８ｂはオフになる。情報処理端末１０をその裏面を下にして机の上に載置した場合には、図５に示すように載置センサ１８ｂが机５２の上に置かれたことを検知してオンになる。
【００４６】
情報処理端末１０は、載置センサ１８ｂがオンの場合は、図３（ａ）に示すように特定領域３０を有効状態として、表示面Ｓの全域を表示およびタッチ検出の有効な有効領域にする。これにより、表示面Ｓを広く活用することができる。
【００４７】
一方、載置センサ１８ｂがオフの場合は、図３（ｂ）に示すように特定領域３０を無効状態に制御して額縁領域にする。これにより、ユーザは、特定領域３０の部分がタッチ検出の行われない額縁領域（無効状態）になっていることを一目で認識することができ、安心してその部分を手で持つことができる。また、額縁領域ではタッチ検出は無効にされるので、ユーザの持ち手の指によるタッチを何らかの操作として誤検知することはない。
【００４８】
図６は、情報処理端末１０をドック５５に装着した状態を示している。情報処理端末１０をドック５５に装着すると、情報処理端末１０の裏面に設けた載置センサ１８ｂがドック５５の載置面との接触を検出してオンになる。これにより、図３（ａ）のように特定領域３０が有効状態に制御されて、表示面Ｓの全面が有効領域になる。なお、ドック５５と電気的に接続されたことにより、ドック５５への装着を検出してもよい。
【００４９】
また、複数の情報処理端末１０を並置し連携して使用する場合には、特定領域３０のうち、並置された他の情報処理端末１０との境界にある部分は有効状態に制御し、他の部分は無効状態（額縁領域）に制御する。並置された他の情報処理端末１０は近接センサ１８ａにより検出される。
【００５０】
図７は、２台の情報処理端末１０を横並びに並置した場合を示している。同図（ａ）は、特定領域３０のうち、２台の情報処理端末１０の境界部分を有効状態に制御し、他の部分（図中グレーの部分）を無効状態（額縁領域）に制御した状態を示している。同図（ｂ）は、対比として、特定領域３０をすべて無効状態（額縁領域）としたもの示す。同図（ｂ）では、同図（ａ）において有効状態にされた境界部分の特定領域３０に対応する部分に斜線を施して示してある。
【００５１】
同様に図８は、３台の情報処理端末１０を横並びに並置した場合を示している。同図（ａ）は、特定領域３０のうち、隣の情報処理端末１０との境界部分を有効状態に制御し、他の部分（図中グレーの部分）を無効状態（額縁領域）に制御した状態を示している。同図（ｂ）には、対比として、特定領域３０をすべて無効状態（額縁領域）としたもの示す。同図（ｂ）では、同図（ａ）において有効状態にされた境界部分の特定領域３０に対応する部分に斜線を施して示してある。
【００５２】
図９は、４台の情報処理端末１０を２×２の行列状に並置した場合を示している。同図（ａ）は、特定領域３０のうち、隣の情報処理端末１０との境界部分を有効状態に制御し、他の部分（図中グレーの部分）を無効状態（額縁領域）に制御した状態を示している。同図（ｂ）には、対比として、特定領域３０をすべて無効状態（額縁領域）としたもの示す。同図（ｂ）では、同図（ａ）において有効状態にされた境界部分の特定領域３０に対応する部分に斜線を施して示してある。
【００５３】
近接センサ１８ａは多数のセンサを配して構成されており、他の装置と接触（もしくは近接）している部分の長さや位置を細かく検出することができる。そこで、特定領域３０のうち、実際に他の装置と接触もしくは近接している範囲に対応する部分だけを有効状態に制御することもできる。
【００５４】
図１０は、情報処理端末１０を他の装置の操作表示パネル６０と連携させた場合であって、特定領域３０のうち、他の装置の操作表示パネル６０と実際に接している範囲に対応する部分だけを有効状態に制御した例を示している。同図（ａ）は、接している範囲が短い場合を、同図（ｂ）は、接している範囲が長い場合を示している。
【００５５】
このように制御することで、他の装置の操作表示パネル６０と情報処理端末１０とを連携させた場合における表示内容の連続性が向上する。また、特定領域３０のうち他の装置の操作表示パネル６０と接していない部分は無効状態（額縁領域）になっているので、ユーザがその部分を手で持ってもその指によるタッチを誤検出することが防止される。これにより、他の装置の操作表示パネル６０の隣に情報処理端末１０を手持ちの状態で並べてこれらを連携させることができる。
【００５６】
次に、特定領域３０を有効状態にするか無効状態（額縁領域）にするかをユーザの指示に基づいて切り替える場合について説明する。
【００５７】
たとえば、図１１に示すように、特定領域３０を有効状態にするか無効状態（額縁領域）にするかを切り替える切り替え釦６３を有効領域上のいずれかの場所（ここでは隅）に、表示する。表示面Ｓの全域が有効領域となっている状態（同図（ａ））で切り替え釦６３が操作されると、特定領域３０は無効状態（額縁領域）に変化する（同図（ｂ））。
【００５８】
一方、特定領域３０が無効状態（額縁領域）となっている状態（同図（ｂ））で切り替え釦６３が操作されると、特定領域３０は有効状態に変化して、表示面Ｓの全域が有効領域になる（同図（ａ））。
【００５９】
切り替え釦６３を押下するほか、切り替え釦６３を内側または外側に向けてドラッグやフリックする方法、タッチ操作でメニューを呼び出して選択する方法、指でジェスチャを描く方法などにより特定領域３０を有効状態とするか無効状態（額縁領域）とするかを切り替えるようにしてもよい。
【００６０】
次に、表示部１７のバックライトのオンオフ制御について説明する。
【００６１】
図１２は、小型のバックライト６５を縦横のマトリクス状に多数分散配置して備える液晶ディスプレイの構造を模擬的に示している。ここでは、バックライト６５はＬＥＤ（Light Emitting Diode）である。バックライト６５の配置は縦横のマトリクス状に限定されない。
【００６２】
これらのバックライト６５は個別にオンオフ制御可能になっている。特定領域３０の全部または一部を有効状態から無効状態（額縁領域）に切り替えるとき、無効状態にする部分に対応するバックライト６５をオフに制御する。これにより、消費電力を少なく抑えることができる。なお、バックライト６５は、少なくとも無効状態と有効状態とに切り替える領域単位でオンオフ制御できればよい。
【００６３】
このように無効状態の額縁領域に対応する部分のバックライト６５をオフに制御する構成においては、情報処理端末１０の電力モードを、通常よりも低消費電力で動作する省電力モードにする際に、特定領域３０を無効状態にして額縁領域にすれば、オフにしたバックライト６５の分だけ電力消費を少なく抑えることができる。
【００６４】
省電力モードでは、特定領域３０を無効状態の額縁領域に自動制御して消費電力を抑える。一方、通常の電力モードでは、特定領域３０を有効領域にすることができる。通常の電力モードにおいて、表示面Ｓの全域を有効領域に制御すれば、より多くの情報を表示してユーザから操作を受けることができる。
【００６５】
なお、情報処理端末１０の電池１９ａの残量が一定値より低下した場合に、特定領域３０を無効状態（額縁領域）に、あるいは表示面Ｓの全域を無効状態にし、その部分のバックライト６５をオフにするようにしてもよい。表示面Ｓの全域を無効状態にする際には、表示部１７への電源供給を完全にオフにするように制御してもよい。
【００６６】
また、図１３に示すように、ユーザからの操作により、表示面Ｓの全域を無効状態に切り替え可能にしてもよい。図１３（ａ）は、図１１（ａ）と同様の状態であり、表示面Ｓの全域が有効領域であり、その隅に切り替え釦６３が表示されている。切り替え釦６３には矢印が描かれてあり、その矢印の方向に切り替え釦６３をドラッグまたはフリック操作することが可能になっている。図１３（ａ）では内側向きの矢印が切り替え釦６３に描かれている。
【００６７】
図１３（ｂ）は、同図（ａ）の状態で切り替え釦６３を内側に向けてドラッグまたはフリック操作を受けた結果、特定領域３０が無効状態（額縁領域）に変化した状態を示している。この状態では、切り替え釦６３は、内側へ向かう矢印と外側へ向かう矢印の双方が表示される。切り替え釦６３に対して外側に向けたドラッグまたはフリック操作を受けると図１３（ａ）の状態に戻る。
【００６８】
図１３（ｂ）の状態で切り替え釦６３に対して内側に向けたドラッグまたはフリック操作を受けると、同図（ｃ）に示すように、表示面Ｓの全域が無効状態に変化する。切り替え釦６３を内側へドラッグまたはフリックする操作は、情報処理端末１０を電源オフにする、あるいは表示がオフになるスタンバイ状態に移行させるユーザの意思表示と捉えることができる。そこで、図１３（ｂ）の状態で内側へのドラッグまたはフリック操作を受けたとき、情報処理端末１０の電源をオフあるいはスタンバイモードにする。なお、電源オフまたはスタンバイモードの状態では、バックライト６５はオフにされ、表示面Ｓは自ずと無効状態と同様の表示状態になる。
【００６９】
なお、スタンバイモードの状態とは、情報処理端末の各機能は作動せず、電源オフの状態にほぼ等しいが、何らかの起動トリガ（特定のスイッチ操作など）が発生すると、電源オフの状態からよりも短時間で通常状態（各機能が作動可能な状態）に復帰する状態である。
【００７０】
次に、情報処理端末１０が行う表示の切り替え制御に関する処理の流れを説明する。
【００７１】
図１４は、表示切り替え制御の概略の流れを示している。この処理は繰り返し実行される。まず、タッチパネル入力処理（ステップＳ１０１）が行われる。この処理は、タッチパネル２１において何らかのタッチ操作を受けた場合にのみ実行される。
【００７２】
図１５は、ステップＳ１０１に示すタッチパネル入力処理の詳細を示している。タッチパネル２１が何らかのタッチを受けると（ステップＳ２０１）、そのタッチ位置が、額縁領域（無効状態の特定領域３０）に対する操作か否かを調べる（ステップＳ２０２）。額縁領域に対する操作であれば（ステップＳ２０２；Ｙｅｓ）、そのタッチを無効にして（ステップＳ２０３）処理を終了する（リターン）。額縁領域以外のタッチであれば（ステップＳ２０２；Ｎｏ）、そのタッチを有効とし、タッチされた位置に対応した処理を行って（ステップＳ２０４）処理を終了する（リターン）。
【００７３】
次に、額縁切り替え要因処理（図１４；ステップＳ１０２）を行う。この処理では、各種センサ、ユーザの操作、および端末状態の変化などに基づき、特定領域３０を無効状態（額縁領域）にするか有効状態にするかの判断要因となる各種の切り替え要因の状態を検出する。
【００７４】
図１６は、各種切り替え要因の状態の検出結果が登録される額縁切り替え要因一覧表７０を示している。額縁切り替え要因一覧表７０には、複数の切り替え要因と、それぞれの切り替え要因が、特定領域３０を無効状態（額縁領域）にする要因（ＯＮ要因）に該当するか否かを示す値と、特定領域３０を有効状態にする要因（ＯＦＦ要因）に該当するか否かを示す値と、各切り替え要因の優先順位とが登録される。
【００７５】
ＯＮ要因、ＯＦＦ要因の値は、額縁切り替え要因処理（図１４のステップＳ１０２）により逐次書き換えられる。ＯＮ要因およびＯＦＦ要因の値において、「１」は「該当する」を、「０」は「該当しない」をそれぞれ示す。
【００７６】
ここでは、近接センサ１８ａの検出値、載置センサ１８ｂの検出値、切り替え釦６３によるユーザの切り替え操作、電池１９ａの残量、省電力モードのそれぞれについて、ＯＮ要因とＯＦＦ要因に関する判断結果が登録される。優先順位は「１」が最も低く、数値が大きいほど優先順位は高い。
【００７７】
図１７は、額縁切り替え要因処理（図１４のステップＳ１０２）の概要を示している。まず、額縁切り替え要因一覧表７０において、ＯＮ要因、ＯＦＦ要因に対する全ての値を「０」に初期化する（ステップＳ３０１）。次に、近接センサ処理（ステップＳ３０２）を行う。近接センサ処理では、近接センサ１８ａの検出値が特定領域３０を無効状態にするＯＮ要因または有効状態にするＯＦＦ要因になっているか否かを調べて、その結果を額縁切り替え要因一覧表７０に登録する。
【００７８】
次に、載置センサ処理（ステップＳ３０３）を行う。載置センサ処理では、載置センサ１８ｂの検出値がＯＮ要因またはＯＦＦ要因になっているかを調べて、その結果を額縁切り替え要因一覧表７０に登録する（ステップＳ３０３）。
【００７９】
次に、切り替え操作処理（ステップＳ３０４）を行う。切り替え操作処理では、ユーザから切り替えの指示を受けているかを調べ、ユーザからの指示があれば、それに対応するＯＮ要因またはＯＦＦ要因を「１」にするように額縁切り替え要因一覧表７０を更新する。
【００８０】
次に、バッテリ残量処理（ステップＳ３０５）を行う。この処理では、電池１９ａの残量をチェックし、該残量が特定領域３０を無効状態にするＯＮ要因または有効状態にするＯＦＦ要因になっているかを判断し、その結果に応じて額縁切り替え要因一覧表７０を更新する。
【００８１】
次に、省電力モード処理（ステップＳ３０６）を行う。この処理では、電力モードが省電力モードか否かをチェックし、その結果に応じて、省電力モードに係るＯＮ要因またはＯＦＦ要因の値を「１」に変更して額縁切り替え要因一覧表７０を更新する。
【００８２】
図１８は、近接センサ処理（図１７のＳ３０２）の詳細を示している。近接センサ１８ａの検出値から、情報処理端末１０が他の装置と接触または近接する状況の変化が生じたか否かを調べる（ステップＳ３２１）。変化がなければ（ステップＳ３２１；Ｎｏ）、本処理を終了する（リターン）。変化があれば（ステップＳ３２１；Ｙｅｓ）、その変化後の状態から、当該情報処理端末１０の隣に並置されている他の情報処理端末１０や他の装置が存在するか否かを判断する（ステップＳ３２２）。存在しない場合は（ステップＳ３２２；Ｎｏ）、額縁切り替え要因一覧表７０の中の近接センサのＯＮ要因に対する値を「１」に設定して（ステップＳ３２３）、本処理を終了する（リターン）。
【００８３】
近接または接触して並置された他の装置が存在する場合は（ステップＳ３２２；Ｙｅｓ）、近接センサのＯＦＦ要因に対する値を「１」に設定して（ステップＳ３２４）、さらに接触または近接している範囲の長さおよび位置を特定して記憶し（ステップＳ３２５）、本処理を終了する（リターン）。
【００８４】
図１９は、載置センサ処理（図１７のＳ３０３）の詳細を示している。載置センサ１８ｂの検出値から、情報処理端末１０が机の上やドックに置かれた状態に変化が生じたか否かを調べる（ステップＳ３３１）。変化がなければ（ステップＳ３３１；Ｎｏ）、本処理を終了する（リターン）。変化があれば（ステップＳ３３１；Ｙｅｓ）、その変化後の状態が、机上やドック５５に当該情報処理端末１０が載置された状態か否かを判断する（ステップＳ３３２）。載置状態でない場合は（ステップＳ３３２；Ｎｏ）、額縁切り替え要因一覧表７０の中の載置センサのＯＮ要因に対する値を「１」に設定して（ステップＳ３３３）、本処理を終了する（リターン）。
【００８５】
載置状態の場合は（ステップＳ３３２；Ｙｅｓ）、載置センサのＯＦＦ要因に対する値を「１」に設定して（ステップＳ３３４）、本処理を終了する（リターン）。
【００８６】
図２０は、切り替え操作処理（図１７のＳ３０４）の詳細を示している。ユーザから切り替え釦６３に対する手動の操作で特定領域３０を無効状態（額縁領域）にする操作を受けた場合は（ステップＳ３４１；Ｙｅｓ）、切り替え操作のＯＮ要因の値を「１」に設定して（ステップＳ３４２）ステップＳ３４３へ移行する。上記操作を受けていない場合は（ステップＳ３４１；Ｎｏ）、ステップＳ３４３へ移行する。ステップＳ３４３では、ユーザから切り替え釦６３に対する手動の操作で特定領域３０を有効状態にする操作を受けたか否かを判断し、受けている場合は（ステップＳ３４３；Ｙｅｓ）、切り替え操作のＯＦＦ要因の値を「１」に設定して（ステップＳ３４４）、本処理を終了する（リターン）。上記操作を受けていない場合は（ステップＳ３４３；Ｎｏ）、本処理を終了する（リターン）。
【００８７】
図２１は、バッテリ残量処理（図１７のＳ３０５）の詳細を示している。残量検出部１９の検出値から、電池１９ａの残量が規定値を超える変化または下回る変化をしたか否かを調べる（ステップＳ３５１）。変化がなければ（ステップＳ３５１；Ｎｏ）、本処理を終了する（リターン）。変化があれば（ステップＳ３５１；Ｙｅｓ）、その変化後の電池１９ａの残量が規定値未満か否かを判断する（ステップＳ３５２）。規定値未満ならば（ステップＳ３５２；Ｙｅｓ）、額縁切り替え要因一覧表７０の中のバッテリ残量のＯＮ要因に対する値を「１」に設定して（ステップＳ３５３）、本処理を終了する（リターン）。
【００８８】
規定値未満でない場合は（ステップＳ３５２；Ｎｏ）、バッテリ残量のＯＦＦ要因に対する値を「１」に設定して（ステップＳ３５４）、本処理を終了する（リターン）。
【００８９】
図２２は、省電力モード処理（図１７のＳ３０６）の詳細を示している。電力モードが変化したか否かを調べ（ステップＳ３６１）、変化がなければ（ステップＳ３６１；Ｎｏ）、本処理を終了する（リターン）。変化があれば（ステップＳ３６１；Ｙｅｓ）、その変化後の電力モードが省電力モードか否かを判断する（ステップＳ３６２）。省電力モードならば（ステップＳ３６２；Ｙｅｓ）、額縁切り替え要因一覧表７０の中の省電力モードのＯＮ要因に対する値を「１」に設定して（ステップＳ３６３）、本処理を終了する（リターン）。
【００９０】
省電力モードでなければ（ステップＳ３６２；Ｎｏ）、省電力モードのＯＦＦ要因に対する値を「１」に設定して（ステップＳ３６４）、本処理を終了する（リターン）。
【００９１】
図１４に戻って説明を続ける。上記のようにして額縁切り替え要因検出を行った後、最優先額縁要因決定処理を行う（ステップＳ１０３）。この処理では、額縁切り替え要因一覧表７０において値が「１」になっているＯＮ要因もしくはＯＦＦ要因の中で、最も優先順位の高いものを最優先額縁要因に選択する。
【００９２】
図２３は、最優先額縁要因決定処理（図１４のＳ１０３）の詳細を示している。まず、変数「最優先要因」に「なし」を設定し（ステップＳ４０１）、次に、額縁切り替え要因一覧表７０の中で値が「１」に設定されているすべての要因について以下の処理を行う。着目する要因に対応する優先順位と、変数「最優先要因」に設定されている要因に対応する優先順位とを比較する（ステップＳ４０２）。最初はこの判断では、着目する要因の優先順位が変数「最優先要因」に設定されている要因（なし）に対応する優先順位より高いものとする。
【００９３】
着目する要因に対応する優先順位が変数「最優先要因」に設定されている要因に対応する優先順位より高い場合は（ステップＳ４０２；要因＞最優先要因）、変数「最優先要因」に、着目する要因を設定する。たとえば、着目する要因が近接センサのＯＮ要因であれば「最優先要因」に「近接センサのＯＮ要因」を設定する。
【００９４】
着目する要因に対応する優先順位が変数「最優先要因」に設定されている要因に対応する優先順位より高くない場合は（ステップＳ４０２；要因＜＝最優先要因）、次の要因をチェックする。
【００９５】
次に、額縁形状決定処理を行う（図１４；ステップＳ１０４）。図２４はこの処理の詳細を示している。まず、最優先額縁要因決定処理での最終的な最優先要因がＯＮ要因か否かを調べ（ステップＳ５０１）、ＯＮ要因ならば（ステップＳ５０１；Ｙｅｓ）、特定領域３０の全域を無効状態とする（額縁領域の形状を四辺の全辺にする）。ＯＮ要因でなければ（ステップＳ５０１；Ｎｏ）、ステップＳ５０３へ移行する。
【００９６】
最優先要因がＯＦＦ要因ならば（ステップＳ５０３；Ｙｅｓ）、最優先要因が載置センサ１８ｂのＯＦＦ要因であるか否かを調べる（ステップＳ５０４）。最優先要因が載置センサ１８ｂのＯＦＦ要因である場合は（ステップＳ５０４；Ｙｅｓ）、すべての特定領域３０を有効状態にする（ステップＳ５０５）。言い換えると、４辺の額縁全体を消去する（有効領域にする）。
【００９７】
最優先要因が載置センサ１８ｂのＯＦＦ要因でない場合は（ステップＳ５０４；Ｎｏ）、特定領域３０のうち、並置された他の情報処理端末１０や他の装置と接触または近接している範囲に対応する部分を有効状態とし、特定領域３０のうちの残りの部分を無効状態（額縁領域）にするように設定する（ステップＳ５０６）。言い換えると、４辺の額縁のうち近接している部分を消去する（有効領域にする）。
【００９８】
最優先要因がＯＦＦ要因でない場合は（ステップＳ５０３；Ｎｏ）、本処理を終了する（リターン）。本処理では、最優先要因がＯＮ要因でもＯＦＦ要因でもない場合は、現在の額縁形状がそのまま維持される。
【００９９】
次に、額縁形状切り替え処理（図１４；ステップＳ１０５）にて、情報処理端末１０の特定領域３０等を、ステップＳ１０４の処理で決定した形状にしたがって、無効状態または有効状態に切り替えて、額縁の形状等を変更し、処理を終了する（エンド）。
【０１００】
以上のように、本実施の形態に係る情報処理端末１０では、表示面Ｓの周縁に沿って一周するように所定幅の特定領域３０を設け、この特定領域３０を、表示およびタッチ検出が有効な有効状態と表示およびタッチ検出が無効な無効状態（額縁領域）とに切り替え可能にしたので、ユーザが情報処理端末１０を手持ちするような場合には、特定領域３０を額縁領域として、持ち手の指のタッチによる誤検知を防止することができる。
【０１０１】
また、ユーザが手持ちしない場合には、特定領域３０を表示およびタッチ検出が有効な有効状態にすることで、表示面Ｓを有効に活用することができる。さらに、特定領域３０のうち、並置された他の操作表示装置との境界部分は有効状態にし、他の部分のみを無効状態（額縁領域）にしたので、並置した他の操作表示装置との繋ぎ目の少ない一体感のある表示を他の操作表示装置と連携して行うことができる。
【０１０２】
＜変形例＞
情報処理端末１０を保持するユーザの手の指の位置が特定領域３０からその内側の有効領域にはみ出し、両領域にまたがって指のタッチが検出された場合、内側の有効領域に指がかかっている側の額縁領域の辺の幅を太くするなどして指が有効領域にかからないようにしてもよい。これにより、有効領域が指で隠れることが無くなるとともに、ユーザは、額縁領域はタッチ検出が無効であることを知っているため、直感的に誤操作防止が行われていることを理解することができる。
【０１０３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０４】
実施の形態では、特定領域３０を表示面Ｓの周縁に沿って一周するように設けたが、特定領域３０は周縁の一部にのみ設けられてもよい。額縁の上下左右の四辺のうちの一辺または２辺のみとしてもよい。たとえば、情報処理端末１０の形状がユーザによる手持ちの仕方が特定の持ち方に限定されるような形状の場合、その手持ちされる可能性のある箇所に対応する部分のみを特定領域としてもよい。特定領域は表示面Ｓの任意の箇所に設けてもよく、端部以外の箇所に設ける態様としてもよい。
【０１０５】
実施の形態では、情報処理端末１０の本体表面の端縁（周縁）と表示面Ｓの端縁（周縁）とが一致またはほぼ一致するようにし、この一致またはほぼ一致する箇所（表示面Ｓの端縁の外側に所定幅（たとえば、３ｃｍ）以上の枠が設けられていない箇所）において、特定領域を表示面Ｓの端縁に沿って設けた。しかし、情報処理端末１０の本体表面の端縁（周縁）と表示面Ｓの端縁との間に、所定幅以上の枠が本体の一部として設けられてもよい。たとえば、強度の関係でそのような枠を表示面Ｓの外周を一周するように、あるいは外周の一部に設けることを排除するものではない。
【０１０６】
実施の形態では載置センサ１８ｂによってユーザが手持ちしているか否かを検出するようにしたが、他の任意のセンサによりユーザによる手持ちの有無を検出してもよい。
【０１０７】
実施の形態では近接センサ１８ａにより、並置された装置との接触あるいは近接している部分の長さや位置を細かく検出するようにしたが、たとえば、４辺のうちのどの辺が接触または近接しているかを「辺」を単位に検出するようなセンサであってもかまわない。
【符号の説明】
【０１０８】
１０…情報処理端末
１１…ＣＰＵ
１２…ＲＯＭ
１３…ＲＡＭ
１４…不揮発メモリ
１５…ネットワーク通信部
１６…操作部
１７…表示部
１８…センサ
１８ａ…近接センサ
１８ｂ…載置センサ
１９…残量検出部
１９ａ…電池
２１…タッチパネル
３０…特定領域
５１…指が届く範囲
５２…机
５５…ドック
６０…操作表示パネル
６３…切り替え釦
６５…バックライト
７０…額縁切り替え要因一覧表
Ｓ…表示面
【図２】
0005708555.tif 000002
【図４】
0005708555.tif 000003
【図５】
0005708555.tif 000004
【図１４】
0005708555.tif 000005
【図１５】
0005708555.tif 000006
【図１６】
0005708555.tif 000007
【図１７】
0005708555.tif 000008
【図１８】
0005708555.tif 000009
【図１９】
0005708555.tif 000010
【図２０】
0005708555.tif 000011
【図２１】
0005708555.tif 000012
【図２２】
0005708555.tif 000013
【図２３】
0005708555.tif 000014
【図２４】
0005708555.tif 000015
【図１】
0005708555.tif 000016
【図３】
0005708555.tif 000017
【図６】
0005708555.tif 000018
【図７】
0005708555.tif 000019
【図８】
0005708555.tif 000020
【図９】
0005708555.tif 000021
【図１０】
0005708555.tif 000022
【図１１】
0005708555.tif 000023
【図１２】
0005708555.tif 000024
【図１３】
0005708555.tif 000025